(57)【要約】      （修正有）【課題】障子を一定角度まで回動したときにその位置に確実に固定できる部分開と共に障子の全開全閉を選択的に行える開き窓における開口制限ストッパー装置を提供する。【解決手段】たて枠１ａに上端が枢着されたアーム１１は障子２が閉った状態でたて框２ａとたて枠１ａ間に納まっている。ピン軸１５がアーム１１に設けた上下方向の案内長穴の上端のピン係脱部１１ｅに係脱可能に設けてある。ピン軸１５はシフタ１９と一体的な半開全開切替用つまみ１９ａを移動することで軸方向に進退する。ピン軸１５はアーム１１と係合している。障子２を開くとピン軸１５は外方へ移動し、アーム１１の案内長穴を移動してアーム１１の先端側を外方へ移動させアーム１１を回転させる。案内長穴の端部で障子２は半開を保たれる。さらにピン軸１５を右行してピン係脱部１１ｅから脱出させると障子は全開できる。【選択図】図３
2008261152.tif 000002
【特許請求の範囲】
【請求項１】
開き窓の枠材の１つと、この枠材に沿う障子の框との間に設けられ障子の半開を支持するアームと、アームと係脱するストッパーとを備えた開口制限ストッパー装置において、
前記框に備えられ框の長手方向に交叉し且つ障子面に平行に移動可能なピン軸と、
一端が前記枠材に枢着され障子が閉った状態でピン軸がアームの板面に交叉方向に出入り可能で開閉する際にピン軸に案内される案内長穴を有する板状のアームと、
障子に備えられ、ピン軸をアームの板面に交叉する方向に移動しピン軸が案内長穴に係合する位置と、ピン軸が案内長穴から抜け出た位置と、をとるように操作する半開全開切替操作装置と、
を有することを特徴とする開き窓における開口制限ストッパー装置。
【請求項２】
アームは枠材に沿う方向にアームの自重又はばねにより付勢され、案内長穴は障子が半開した際に案内長穴の端部に案内長穴に対して交叉方向のピン軸が入り得るロック部を有し、ピン軸にロック部が入り障子が半開で固定されることを特徴とする請求項１に記載の開き窓における開口制限ストッパー装置。
【請求項３】
ピン軸は案内長穴に案内される軸部と、案内長穴よりも大径であってアームを横切る位置に設けられた案内長穴の幅よりも大径のつばとを有し、案内長穴はアームの枠材への枢着位置に近い側にピン軸のつばがアームを横切り得るピン係脱部を有することを特徴とする請求項１又は２に記載の開き窓における開口制限ストッパー装置。
【請求項４】
案内長穴はピン係脱部と、ピン係脱部につづくピン案内部を有し、障子を閉めた状態においてピン係脱部はピン案内部の見込方向の室内側に有り、ピン軸がピン係脱部とピン案内部間を移動可能にピン係脱部とピン案内部間にピン移動部を有することを特徴とする請求項１から３の何れか１つに記載の開き窓における開口制限ストッパー装置。
【請求項５】
障子の半開状態において、ピンロック部がピン軸から脱出する方向にアームを回動するロック解除装置を有することを特徴とする請求項２から４の何れか１つに記載の開き窓における開口制限ストッパー装置。
【請求項６】
ロック解除装置は半開全開切替操作装置を設けた框に固定された台座と、台座に枢着され枢着位置に対して一方端にロック解除操作部材により回動されるカムレバー部を他方端にアームに作用してアームのロック部をピン軸から外す位置とアームから離れて収納される位置をとる解除作用レバー部を有するベルクランク状のロック解除部材と、カムレバー部に作用するロック解除操作部材と、を有することを特徴とする請求項５に記載の開き窓における開口制限ストッパー装置。
【請求項７】
半開全開切替操作装置はピン軸に設けたシフタ係合部に係合するヨークであって框に固定される台座の背面から突出するヨークと、ヨークと一体的に設けられ台座の前面に設けられた切替用つまみと、ヨーク及び切替用つまみをピン軸の軸方向に移動自在に保持するガイド部を有する台座と、を有し、切替用つまみを移動することにより、ピン軸がアームと係脱可能としたことを特徴とする請求項１から６の何れか１つに記載の開き窓における開口制限ストッパー装置。
【請求項８】
ロック解除装置と半開全開切替操作装置を一体の台座に設けたことを特徴とする請求項４から７の何れか１つに記載の開き窓における開口制限ストッパー装置。
【発明の詳細な説明】
【技術分野】
【０００１】
本発明は障子を一定角度まで回動したときにその位置に確実に固定できる部分開と共に障子の全開全閉を選択的に行える開き窓における開口制限ストッパー装置に係るものである。
【背景技術】
【０００２】
特許文献１には窓２を閉じた位置で開口枠１に設けた支軸５に対して枢着位置を変更可能に牽制アーム６をその長手方向に移動させる操作具８を設けている。牽制アーム６の先端側にはその長手方向に連繋溝１７を設けてある。この連繋溝１７には窓２に固定したピン７が移動自在に嵌合している。連繋溝１７は一端は行き止まりで窓２を部分開した時に、該一端にピン７が当り窓２の部分開が保たれるようになっている。連繋溝１７の他端は開放されている。窓２を閉めると連繋溝１７の他端近くにピン７が来る。ここで操作具８を操作して牽制アーム６を長手方向に移動するとピン７は連繋溝１７から外れる。ここで、窓２は全開可能となる。
【０００３】
特許文献２には窓枠１０に辷り出し可能に障子２０を備えた開き窓が開示されている。この開き窓は下框２２と下枠１２間をアーム部材３０で連結している。アーム部材３０は先端側が閉じた根本側に向う長穴３１がアーム部材３０の途中の一端寄り部３１ａで開放されている。この長穴３１に摺動可能に嵌合しているピン４１は障子２０の部分開時には長穴３１の先端側に行き止っており、障子２０を閉めると長穴３１中の一端寄り部３１ａ近くにある。ピン４１を下框２２の長手方向に沿って移動可能とする切換部材４０が下框２２に設けてある。切換部材４０を用いてピン４１を移動して長穴３１外へ出すと、障子２０は全開可能となる。
【０００４】
特許文献１は連繋溝１７を有する牽制アーム６とピン７、特許文献２は長穴３１を有するアーム部材３１とピン４１とで夫々すべり対偶を構成し、牽制アーム６は開口枠に枢着され、アーム部材３１は下枠１２に枢着されている。従って共に障子、開口枠と併せてすべり子回転連鎖を構成している。
【０００５】
特許文献１と特許文献２を比較すると、特許文献１ではピン７を連繋溝１７から外すのに牽制アーム６を長手方向に移動している。特許文献２ではピン４１を長穴３１から外すのにピン４１をアーム部材３０の長手方向に移動している。
【０００６】
この構成を見ると特許文献２は特許文献１の機構の交替を行ったものである。
【特許文献１】特開２０００−３８８６６号公報
【特許文献２】特開２００５−７６３３４号公報
【発明の開示】
【発明が解決しようとする課題】
【０００７】
特許文献1に記載の発明によれば、牽制アーム６は連繋溝１７からピン７を外す必要上、牽制アーム６の中間に凹部１５を設けねばならない。このため、牽制アーム６を窓２の框と開口枠の枠材間の狭い空間に納めねばならないのが制約となる。同様に特許文献２においては長穴３１からピン４１を外す必要上、アーム部材３０の中間に凹陥部３７を設けねばならない。このためアーム部材３０を障子２０の框と窓枠１０の枠材間に納めねばならないのが制約となる。また、上記において障子を半開にするときに障子は開く勢が牽制アーム６、アーム部材３０に衝撃的に引張力として加わるから、前記凹部１５、凹陥部３７回りは曲げ力が加わるので強度剛性を保つために肉厚が大きくなってしまう。製造上も上記牽制アーム６、アーム部材３０はプレス加工において曲げ加工が伴ないコスト高となる。
【０００８】
特許文献１には窓半開時に風により、窓２が閉らないようにロック体３５を設けている。このロック体３５はプラスチック成形品であって係合爪３７を弾性変形してピン７を保持している（段落〔００２９〕参照）。
【０００９】
しかし、このような窓２の保持では換気に好適な風が吹く程度にしか耐えられないことは、特許文献１は自白している（段落〔００２８〕第７行から第１０行参照）。また、特許文献２には風に対する障子の保持についての開示がない。
【００１０】
上述のように特許文献１に記載の窓構成では少なくとも換気に好適な風以上の風力では閉ってしまう。
【００１１】
本発明は開口枠と障子間の狭い空間に納め得る障子を半開及び全開可能な開き窓の開口制限ストッパー装置を提供することを目的とする。
【００１２】
本発明は障子の半開状態において風力に拘らず半開状態を保ち得る障子を半開及び全開可能な開き窓の開口制限ストッパー装置を提供することを目的とする。尚、半開とは厳密に全開寸法の半分のみを示すのではなく、予め限定した部分開口も含むものである。
【課題を解決するための手段】
【００１３】
本発明の第１の発明は開き窓の枠材の１つと、この枠材に沿う障子の框との間に設けられ障子の半開を支持するアームと、アームと係脱するストッパーとを備えた開口制限ストッパー装置において、
前記框に備えられ框の長手方向に交叉し且つ障子面に平行に移動可能なピン軸と、
一端が前記枠材に枢着され障子が閉った状態でピン軸がアームの板面に交叉方向に出入り可能で開閉する際にピン軸に案内される案内長穴を有する板状のアームと、
障子に備えられ、ピン軸をアームの板面に交叉する方向に移動しピン軸が案内長穴に係合する位置と、ピン軸が案内長穴から抜け出た位置と、をとるように操作する半開全開切替操作装置と、
を有することを特徴とする開き窓における開口制限ストッパー装置である。
【００１４】
本発明の第２の発明はアームは枠材に沿う方向にアームの自重又はばねにより付勢され、案内長穴は障子が半開した際に案内長穴の端部に案内長穴に対して交叉方向のピン軸が入り得るロック部を有し、ピン軸にロック部が入り障子が半開で固定されることを特徴とする第１の発明に記載の開き窓における開口制限ストッパー装置である。
【００１５】
本発明の第３の発明はピン軸は案内長穴に案内される軸部と、案内長穴よりも大径であってアームを横切る位置に設けられた案内長穴の幅よりも大径のつばとを有し、案内長穴はアームの枠材への枢着位置に近い側にピン軸のつばがアームを横切り得るピン係脱部を有することを特徴とする第１又は第２の発明に記載の開き窓における開口制限ストッパー装置である。
【００１６】
本発明の第４の発明は案内長穴はピン係脱部と、ピン係脱部につづくピン案内部を有し、障子を閉めた状態においてピン係脱部はピン案内部の見込方向の室内側に有り、ピン軸がピン係脱部とピン案内部間を移動可能にピン係脱部とピン案内部間にピン移動部を有することを特徴とする第１から第３の発明の何れか１つに記載の開き窓における開口制限ストッパー装置である。
【００１７】
本発明の第５の発明は障子の半開状態において、ピンロック部がピン軸から脱出する方向にアームを回動するロック解除装置を有することを特徴とする第２から第４の発明の何れか１つに記載の開き窓における開口制限ストッパー装置である。
【００１８】
本発明の第６の発明はロック解除装置は半開全開切替操作装置を設けた框に固定された台座と、台座に枢着され枢着位置に対して一方端にロック解除操作部材により回動されるカムレバー部を他方端にアームに作用してアームのロック部をピン軸から外す位置とアームから離れて収納される位置をとる解除作用レバー部を有するベルクランク状のロック解除部材と、カムレバー部に作用するロック解除操作部材と、を有することを特徴とする第５の発明に記載の開き窓における開口制限ストッパー装置である。
【００１９】
本発明の第７の発明は半開全開切替操作装置はピン軸に設けたシフタ係合部に係合するヨークであって框に固定される台座の背面から突出するヨークと、ヨークと一体的に設けられ台座の前面に設けられた切替用つまみと、ヨーク及び切替用つまみをピン軸の軸方向に移動自在に保持するガイド部を有する台座と、を有し、切替用つまみを移動することにより、ピン軸がアームと係脱可能としたことを特徴とする第１から第６の発明の何れか１つに記載の開き窓における開口制限ストッパー装置である。
【００２０】
本発明の第８の発明はロック解除装置と半開全開切替操作装置を一体の台座に設けたことを特徴とする第４から第７の発明の何れか１つに記載の開き窓における開口制限ストッパー装置である。
【発明の効果】
【００２１】
請求項１に係る発明によれば、板状のアームを用いたので障子を閉めた際の、開口枠の枠材と障子の框間のせまい空間に容易に収容できる。また、障子を開いた際にはピン軸と案内長穴の終端と衝突した場合にアームに障子の慣性に基づく衝撃力が加わるが、アームの各部は引張力のみを受けるのでアームを小さくできる。
【００２２】
操作装置はアームの板面に交叉する方向からアームの案内長穴に係合する位置と、抜け出た位置をとるようにしたのでピン軸の行程はアームの板厚を越えるだけで短くでき操作性がよい。更にまた、操作装置を設けた框の長手方向に交叉する方向にピン軸の移動の操作を行うことになるので、操作が容易である。
【００２３】
請求項２に係る発明によれば、障子を半開とするだけで障子は自動的にロックされる。突風等により障子が衝撃的に閉ることが防止される。
【００２４】
請求項３に係る発明によれば、ピン軸の工程はつばの厚みにアームの板厚を加えただけであるのでピン軸の行程は小さくピン軸の支持部も軸方向に短くまとめられ、その結果ピン軸は短く、行程も短くなるので框を横切って往復動するピン軸を備えた操作装置を框の幅に合せることが可能である。
請求項４に係る発明によれば、障子の半開動作時の障子の開き始めにおいて、アームを回動する抵抗が加わらず、障子の引寄せ解除の抵抗にならない。
【００２５】
また、アームがたて框と干渉せず、たて框の見込み寸法内のせまい空間に容易に収納できる。
【００２６】
請求項５に係る発明によれば、ロック解除装置はアームをピンロック部がピン軸から外れる位置まで回動するだけであり、ロックされる作用と逆方向にアームを回動するのであるから作動は確実で円滑である。
【００２７】
請求項６に係る発明によれば、ロック解除操作部材を操作するだけでアームのロックを解除できる。
【００２８】
請求項７に係る発明によれば、切替用つまみはピン軸の行程と同行程であるから、半開と全開の選択の際は、切替用つまみは行程が短く且つ框を横切る方向に移動するだけであるから操作性が良い。
【００２９】
請求項８に係る発明によれば、障子の半開全開の選択と半開時のロック解除を行う装置が一体になっているので障子への取付け取外しが簡単である。
【実施例】
【００３０】
以下、本発明の実施例を図面を用いて説明する。
（実施例１）
（全体構成）
図１は室内側より見る窓の正面図である。
【００３１】
図１に示すように開口枠１内には障子２が設けてある。障子２を図１の右側のたて枠１ａ１を吊元とするたて丁番で取り付けた横開き窓（片開き）である。なお、水平な軸心で回転又は辷り出し回転するように開口枠１のたて枠１ａ，１ａ１、障子２のたて框２ａ，２ａ１の夫々の部材間に取り付けられて外開きする窓においても本発明は適用される。即ち、何れも開口枠１に対して障子２は外開きする窓である。本例では横開き窓についてのべる。
【００３２】
たて枠１ａとたて框２ａ間には開き窓の開口制限ストッパー装置（以下、開口制限ストッパー装置という）３が配設されている。開口制限ストッパー装置３は障子２の半開、全開をつかさどる装置である。
【００３３】
図２は図１から障子２が開いた状態を略画で示し、図１に対して平面図となっている。開口制限ストッパー装置３は一端がたて枠１ａ側で枢着されたアーム装置４と、アーム装置４と係脱可能なすべり子（後述）を有してすべり子を制御する半開全開切替操作装置（以下操作装置という）５を有する。アーム装置４はたて枠１ａに取り付けてある。すべり子及び操作装置５はたて框２ａに取り付けてある。障子２の全開時は下枠１ａ２と下框２ａ２に設けたあおり止め３１でもって全開位置を定めている。
（開口枠と障子の断面）
図３は障子２が閉じた状態、及び図４は半開した状態におけるたて枠１ａ、たて框２ａの水平断面図である。
【００３４】
図３に示すように、たて枠１ａには障子外周に対向する内周材１ｂにたて框２ａ側に向って突出した上下方向の突条１ｃ及び１ｄが設けてある。内周材１ｂは板面が見込方向となっている。突条１ｄは室内側にあって外部側を向いて開口した上下方向の条溝１ｅを有する。
【００３５】
条溝１ｅにはたて框２ａの室内側に面する内側材２ｂに接するパッキン６が嵌め込んである。
【００３６】
たて框２ａにはたて枠の内周材１ｂに平行する外周材２ｃが設けてある。外周材２ｃにはたて枠の内周材１ｂに向って上下方向の突条２ｄ〜２ｈが設けてある。突条２ｄ〜２ｈは室内側から室外側へ向って並列している。突条２ｄは内側材２ｂと同一平面を形成している。突状２ｈはたて框２ａの外側材２ｉと同一平面を形成している。
【００３７】
突条２ｇと２ｈは先端が対向する鍵形であり、突条２ｇと２ｈ間は条溝２ｊとなっている。条溝２ｊに嵌合して保持されるパッキン７は障子２を閉めた際はたて枠の突条１ｃに圧接する。
【００３８】
パッキン７は条溝２ｊに嵌合する取付部７ａと、条溝２ｊ外にあって室内側へ向ってのびる板状部７ｂと、板状部７ｂに先端にたて枠側と接する密封部７ｃとを有する。板状部７ｂは見込方向幅が大きくとられており、内周材１ｂ側へ大きくたわむことができる。密封部７ｃは中空円筒形である。アーム１１（後述）のない位置においては密封部７ｃは障子２を閉じた状態でたて枠の突条１ｃとたて框の突条２ｇに圧接されている。
【００３９】
たて框２ａにおいて、外周材２ｃに平行して設けた中間材２ｋは外周材２ｃ、内側材２ｂ、外側材２ｉ、と合せて中空部２ｍを形成している。中間材２ｋの内周側はガラス溝２ｎとなっている。
【００４０】
ガラス溝２ｎは内側材２ｂから室外側へ向って突出する突条２ｏと、外側材２ｉから室内側へ向って突出する突条２ｐ，２ｑ間にある。突条２ｏ，２ｐはたて框２ａの内周材となっている。突条２ｏは断面Ｌ形であり、Ｌ形内側にはガラス溝２ｎに通ずる空間２ｒが生じている。
（アーム装置）
図３は障子閉時、図４は障子半開時の框回りの平面図である。図５は図２の矢印Ａ方向から見るアーム装置４の図である。図６は図３の正面（図の下方より見る）から見る開き窓の開口制限ストッパー装置の図である。図３から図６を参照してアーム装置４の説明をする。
【００４１】
アーム装置４はアーム取付ベース（以下、ベースという）８と、ベース８に固定した支軸９と、支軸９に根本が回転可能に且つ、支軸９の軸方向に対して傾動可能にゆるく嵌合しているアーム１１と、アーム１１を室内側へ付勢している円錐形のねじりコイルばね（以下、ばねという）１２とを有する。
【００４２】
ベース８は基板８ａの上下にフランジ８ｃを有する。下側のフランジ８ｃにはストッパ８ｄが設けてある。ストッパ８ｄはアーム１１の根本側に近い縁であるドッグ面１１ｂが当る段部を下側のフランジ８ｃに設けたものである（図５参照）。ベース８をたて枠１ａの内周材１ｂに当接して取付けた状態において、ベース８の基板８ａの室内側にはフランジ８ｃと同方向（内周材１ｂから離れる方向）に折曲してばね掛け８ｅが立上っている（図５参照）。
【００４３】
図６に示すように支軸９は小径軸部９ａ、小径軸部９ａから拡径した大径軸部９ｂ、大径軸部９ｂよりも大径のつば９ｃを軸方向にこの順に有する。
【００４４】
ベース８の基板８ａの穴８ａ１には支軸９の根本の小径軸部９ａが嵌合してかしめられている。
【００４５】
支軸９の大径軸部９ｂにはつば９ｃ側にアーム１１の根本の穴１１ｃが弛く嵌合している。そして、基板８ａとアーム１１間において、支軸９には、ばね１２が挿入されている。図５に示すようにばね１２の一端１２ａはベース８のばね掛け８ｅに係止され、他端１２ｂはアーム１１のばね掛け１１ａに係止され、図５においてアーム１１を支軸９を中心にして時計回りに付勢しており、アーム１１に外力が加わらない状態において、ベース８のストッパ８ｄにアーム１１のドッグ面１１ｂが当接しアーム１１は図５の実線で示すように支軸９から垂下している。
【００４６】
ベース８はたて枠の内周材１ｂにその基板８ａが当接して基板８ａに設けた穴８ｂを挿通して図示されない小ねじを内周材１ｂに設けた裏板（図示されない）にねじ込み固定されている。
【００４７】
アーム１１は前述のばね掛け１１ａと、ドッグ面１１ｂと、支軸９に弛く嵌合する穴１１ｃと、後述の操作装置のピンが係脱して、ピンが係合した状態でピンが移動可能な一つの案内長穴１１ｄとを有する。案内長穴１１ｄはピン係脱部１１ｅと、ピン移動部１１ｆと、ピン案内部１１ｇと、ピンロック部１１ｈとをこの順序で有する。
【００４８】
アーム１１は平板状であるが長手方向の片側の縁を長手方向に折曲線１１ｉが出るようにわずかに折曲して補強、補剛を計ってある。また、折曲線１１ｉはアーム１１が垂下した状態で垂直方向を向いている。図３に示すように障子２が閉った状態では折曲線１１ｉにより折り曲げられた側のアームの縁１１ｐはたて枠１ａの内周材１ｂに近づいている。そしてたて枠の突条１ｃを室外側へ越えている。しかし、パッキン７の板状部７ｂはアームの縁１１ｐを越えて、密封が計られるようになっている。このとき、密封部７ｃはアーム１１の縁１１ｐとたて枠の突条１ｃに圧接している。
【００４９】
ピン係脱部１１ｅはアーム１１の長手方向の途中に設けてある。ピン移動部１１ｆはピン係脱部１１ｅからアーム１１の長手方向にほぼ直角方向にピン案内部１１ｇの上端に向って先に行く程幅がせまくなるように設けてある。ピン案内部１１ｇはピン移動部１１ｆに続いて直線部分と直線部分につづいて室外側斜め下方に緩い凸な曲線部分を有しアーム１１の先端近くに達している。ピンロック部１１ｈはピン案内部１１ｇの下端から外方に向って短く設けられている。ピンロック部１１ｈは支軸９を中心とする円弧又はこの円弧に近い直線状である。
（ピン装置）
図３、図４に示すようにピン装置１３がたて框２ａに設けてある。図３は障子２を閉めた状態、図４は障子２を半開した状態を示す。ピン装置１３はたて框の外周材２ｃの丸穴２ｃ１及び中間材２ｋの丸穴２ｋ１に圧入される円筒形外周を有する胴部１４ａと胴部１４ａの軸方向の片側を拡径したつば１４ｂを有するブッシュ１４と、ブッシュ１４の中心穴１４ｃに移動自在に滑合するピン軸１５とを有する。
【００５０】
ピン軸１５はブッシュ１４の両側に突出し中間部がブッシュの中心穴１４ｃと滑合する軸部１５ａの先端側につば１５ｂを有し、後端側に軸部１５ａを縮径し周方向の条溝としたシフタ係合部１５ｃを有する。つば１５ｂは図５に示すアーム１１のピン係脱部１１ｅをアーム１１の板面に交叉して出入り可能な大きさである。アーム１１は後述の動作時に見込方向に垂直な平面に対して板面が傾くので軸部１５ａの直径よりもピン案内部１１ｇ及びピンロック部１１ｈの幅はわずかに大きい。ピン軸のつば１５ｂはアームのピン案内部１１ｇ及びピンロック部１１ｈの幅よりも直径が大きい。図５（図１１参照）においてつば１５ｂはピン係脱部１１ｅからピン案内部１１ｇへ移動する際にアームのピン移動部１１ｆを通過する。アームのピン移動部１１ｆのピン案内部１１ｇ寄りではアーム１１の板面に交叉方向にピン軸１５を移動するとつば１５ｂはピン移動部１１ｆの縁に重なり、ピン軸１５は後退できなくなる。
【００５１】
ピン軸の軸部１５ａはピン案内部１１ｇ及びピンロック部１１ｈに丁度嵌合する大きさである。アーム１１は後述の動作時に壁面に直角で垂直な平面に対して板面が傾くので軸部１５ａの直径よりもピン案内部１１ｇ及びピンロック部１１ｈの幅はわずかに大きくしてある。ピン軸１５はピン案内部１１ｇに対してころの作用を備えたすべり子となる。
【００５２】
ブッシュ１４から図３において右方へ突出したピン軸は空間２ｒに進入している。
【００５３】
ピン軸のシフタ係合部１５ｃには後述する操作装置５のシフタが係合している。ピン軸１５は図３においては左行端にある。図３においてブッシュ１４に案内されてピン軸１５が右行するとアームのピン係脱部１１ｅをつば１５ｂが通りぬけて、つば１５ｂはブッシュのつば１４ｂに当接する。この結果ピン軸１５はアーム１１と干渉しない位置となる。右行端からピン軸１５を左行させるとつば１５ｂはアームのピン係脱部１１ｅをくぐりぬける。
【００５４】
アーム１１の板厚、つば１５ｂの厚さは小さくできるのでピン軸１５の行程は小さく、ピン軸１５が後退したとき、たて框の内周材となる突条２ｏと外周材２ｃに設けた突条２ｄ，２ｅの先端内にピン装置１３を納めることができる。
（障子半開全開切替操作装置）
操作装置５はピン軸１５をアーム１１に係脱するシフタ装置１６を有する。本例では障子半開状態においてロックしている障子２のロックを解除するロック解除装置１７を操作装置５に付設し、何れも障子２に取り付けられる。本例ではシフタ装置１６とロック解除装置１７を一体の台座に装備し、台座を障子２に取り付けるようにしてある。
【００５５】
図１に示すように操作装置５は障子２のたて框２ａの内側材２ｂに配設されている。
【００５６】
以下に操作装置５の詳細な説明をする。
【００５７】
図６には操作装置５の室内側から見る正面図が示されている。図７は図６の側面図、図８は図６の平面図、図９は図６の背面図、図１０は図６のB−B断面図である。
（シフタ装置）
シフタ装置１６は台座１８に設けられる。図９、図１０に示す台座１８は台座１８の縁を囲繞する座面１８ａがたて框２ａの内側材２ｂに当接し、台座１８の小ねじ用穴１８ｂを挿通して図示されない小ねじが内側材２ｂにねじ込まれて固定される。小ねじ用穴１８ｂを設ける小ねじの座面側は正面より見て方形の凹部１８ｒとなっている。上記小ねじを見えないようにするため凹部１８ｒに丁度嵌合するキヤップ２１が嵌着してある。
【００５８】
台座１８のたて框２ａへの取付け状態において、台座１８の室内側より見る正面には左右方向に案内溝１８ｃが設けてある。図１７に示すように案内溝１８ｃのたて框２ａの外周側の終端にはストッパ１８ｃ１が設けてある。案内溝１８ｃの底部材１８ｄには前後（見込方向）に貫通する穴１８ｅが設けてある。座面１８ａ側には案内溝１８ｃに平行に左右方向（壁面に平行な方向）に広幅の案内溝１８ｆが設けてある。案内溝１８ｆの平行平面となっている対向面には凹溝１８ｆ１，１８ｆ２（図９参照）が設けてある。
【００５９】
図１７に示すようにシフタ１９が穴１８ｅを挿通して台座１８に差し込まれている。台座の案内溝１８ｃに丁度嵌合して案内されるつまみ１９ａがシフタ１９に設けてある。図１０に示すようにシフタ１９の半開全開切替用つまみ（以下、切替用つまみという）１９ａと反対側の端部は二又ヨーク１９ｂとなっている。
【００６０】
図３、図４に示すように二又ヨーク１９ｂはピン軸１５のシフタ係合部１５ｃに常時嵌まり込んでいる。従って、丸軸であるピン軸１５はブッシュ１４に支持され回転可能及び軸方向に移動可能である。なお、シフタ係合部１５ｃに嵌合するヨークであれば二又でなくてもよい。シフタ１９の二又ヨーク１９ｂとつまみ１９ａ間の中間部１９ｃに底部材１８ｄに接するガイドプレート２２が嵌合している。
【００６１】
図９に示すようにガイドプレート２２は案内溝１８ｆに移動自在に嵌合するベース部２２ｃと、先端凸部２２ｂが凹溝１８ｆ１，１８ｆ２に弾力で嵌合可能でベース部２２ｃと同平面のスナップアーム２２ａと、シフタの二又ヨーク１９ｂに嵌合する穴であって前後方向に貫通している穴２２ｄと、ベース部２２ｃから背部に突出するスタンド部２２ｅを主に有する一体物である。先端凸部２２ｂは半円に近い形状である。
【００６２】
ガイドプレ−ト２２のスタンド部２２ｅを貫通した組付けねじ３０の先端はシフタ１９にねじ込まれガイドプレート２２がシフタ１９から抜けないようにしている。
【００６３】
図１７に示すように切替用つまみ１９ａがストッパ１８ｃ１に当った状態では切替用つまみ１９ａの両端は台座１８の巾方向の両縁と一致している。このときピン軸１５は左行端にあり、アーム１１と係合している。穴１８ｅはシフタ１９の図１７において右行を許容するようにあいている。案内溝１８ｆはガイドプレート２２の図１７において右行を許容するように設けてある。ストッパ１８ｃ１の高さは案内溝１８ｃの深さｄよりも小さく、正面から見て切替用つまみ１９ａに設けたリップ１９ａ１はストッパ１８ｃ１を蔽っている。
【００６４】
切替用つまみ１９ａは凹部１９ｄを設け、凹部１９ｄの底に上下方向の突起１９ｅを複数設けてあるので、つまみ１９ａの凹部１９ｄの底に指先で力を加えてシフタ１９の左右動を容易としてある。
【００６５】
この構成により、操作装置５をたて框２ａの左右方向の幅内に納めると共に、たて枠１ａに近づけることができるようにしてある。即ち、納まりがよい。そして、アーム１１とピン軸１５の関係により、半開、全開の切替におけるつまみ１９ａの行程が小さく操作性がよい。
【００６６】
シフタ装置１６の下方にロック解除装置１７が設けてある。
（ロック解除装置）
図６に示すように全体としては上下方向に長く室内側正面より見て方形の台座１８の表側には上下方向に長い案内溝１８ｇが設けてある。図１０に示すように案内溝１８ｇの底部材１８ｈを貫通して上下方向に長い長穴１８ｉが案内溝１８ｇと平行して設けてある。図９に示すように台座１８の裏面には案内部１８ｊが設けてある。底部材１８ｈを底とする案内部１８ｊは広幅であり、案内溝１８ｇと平行している。案内部１８ｊの平行平面となっている対向壁には凹溝１８ｊ１，１８ｊ２が設けてある。
【００６７】
表側の案内溝１８ｇにはロック解除操作部材として上下移動自在にロック解除用つまみ２３が嵌合している。ロック解除用つまみ２３の背面に設けた突起２３ａは長穴１８ｉを挿通して台座１８の背部へ突出している。案内部１８ｊには上下方向に移動自在に裏板２４が嵌合している。突起２３ａは裏板２４の穴２４ｉに嵌合し、先端は穴２４ｉを貫通して裏板２４より突出している。裏板２４より突出した突起２３ａには裏板２４の板面に接近して周方向の条溝が設けてある。この条溝には軸用止輪２５が嵌合している。これによってロック解除用つまみ２３、裏板２４は連結されており、ロック解除用つまみ２３が案内溝１８ｇに沿って上下動するとき裏板２４は案内部１８ｊに沿って上下動する。
【００６８】
図９に示すように裏板２４にはスナップアーム２４ａが設けられている。スナップアーム２４ａは先端凸部２４ｂが凹溝１８ｊ１，１８ｊ２の何れかに弾力で嵌合可能である。先端凸部２４ｂは半円に近い形状である。凹溝１８ｊ２には裏板２４の下降限度位置において、先端凸部２４ｂが丁度嵌合する。凹溝１８ｊ２の上方から始まる凹溝１８ｊ１は上下方向に長く設けてある。凹溝１８ｊ１に先端凸部２４ｂが入った状態ではスナップアーム２４ａは凹溝１８ｊ１を圧していない。又は軽い力で圧している。従って、凹溝１８ｊ１中を先端凸部２４ｂが上下動するとき、摩擦抵抗は殆んどない。裏板２４の上端には一体に外部側へ向って円筒形の突起２４ｃを有する。突起２４ｃは次にのべるベルクランク形状の部材を駆動するためのものでカム従動節となっている。
【００６９】
図１０に示すように台座１８の裏面に一体に立設した円筒形ダボ１８ｋにはベルクランク形状の解除部材２６が回動自在に嵌入している。ダボ１８ｋ先端に座金２７を介してねじ込まれた小ねじ２８により、解除部材２６はダボ１８ｋの軸方向に移動は阻止され障子面に平行な平面内の運動に限られる。
【００７０】
解除部材２６は一方のカムレバー部２６ａに裏板の突起２４ｃが作用するようになっている。他方の解除作用レバー部２６ｂはその解除作用部２６ｂ１がアーム１１の先端の下縁に作用してアーム１１を持ち上げる後述の作用をする。
【００７１】
カムレバー部２６ａにはバランスウエート２６ｃが一体に設けてある。バランスウエート２６ｃは解除作用レバー部２６ｂがアーム１１先端を持ち上げる際の横向きのときにダボ１８ｋを間にして解除作用部２６ｂ１とは反対側に有ってアーム１１のロック解除作用（後述）を助勢する。また、バランスウエート２６ｃはカムレバー部２６ａを補強する。
【００７２】
圧縮コイルばね（以下、ばねという）２９は案内部１８ｊの底部材１８ｈに設けた上下方向の溝となったばね装着部１８ｍに納められている。ばね２９はばね装着部１８ｍの下端（溝の周端）１８ｎを一方の下端側のばね座とし、裏板２４に設けた突起の下面を他方の上端のばね座２４ｈとしている（図１０参照）。
【００７３】
裏板２４は図９、図１０に示すようにばね２９により常に上方へ向って付勢されている。裏板２４はその上端２４ｅが台座１８の裏側の案内部１８ｊの上端に設けたストッパ部１８ｐに当接することにより上昇限度が定められる。
【００７４】
上記において、台座１８、シフタ１９、解除用つまみ２３は例えばＡＥＳ（アクリロニトリル−エチレン・プロピレン−スチレン共重合体）、ガイドプレート２２、裏板２４、解除部材２６、はＰＯＭ（ポリアセタール）等の合成樹脂成形品である。アーム装置４の各部材は鉄系金属製である。
（作用）
障子２が閉められている状態では締りハンドル３２により、障子２の開口枠１への固定及び固定を解除して障子を開放可能とされる。
【００７５】
開放可能とする際には障子２を全開可能とするか半開に止めるかの選択が行なわれる。
【００７６】
図１、図３、図６において全開と半開を切り替える切替え用つまみ１９ａを操作する。障子２が閉った状態ではアーム１１は図５に実線で示される位置にあって、ばね１２のばね力で支軸９を中心にして時計回りに付勢されている。アーム１１のドッグ面１１ｂはアーム取付ベース８のストッパ８ｄに当り、アーム１１は先端の当り面１１ｊがたて枠１ａの突条１ｄに当っていない状態で回動を止められている。
【００７７】
図３ではピン軸１５は左行限度位置にあって、先端のつば１５ｂはアーム１１のピン係脱部１１ｅを左方へ越えている。
【００７８】
シフタ１９は図３では左行限度位置にあって、又切替え用つまみ１９ａは図１、図６の実線に示すように台座１８内に納まっている。
【００７９】
図９に示すようにロック解除装置１７の裏板２４は、ばね２９のばね力で上昇しており、台座の案内部１８ｊの終端のストッパ部１８ｐにより上昇限度の一定位置に有る。従って、突起２４ｃは最上位置にある。このとき、解除部材２６はダボ１８ｋを中心にして解除作用レバー部２６ｂの重力で垂直方向を向いている。解除部材２６が全体として垂直方向を向いているときには解除部材２６は台座１８の投影内にある。カムレバー部２６ａは突起２４ｃに接しているか接近している。
【００８０】
上記が障子２が閉った状態で障子２を半開する選択が行われた状態である。
【００８１】
図１１は障子２の半開動作時のアーム１１とピン軸１５の関係位置を示している。
【００８２】
障子２を開くと操作装置５は付設したロック解除装置１７と併せて障子２と共に外方へ移動する。このとき、図１１のａに示すようにピン軸１５はアームのピン係脱部１１ｅに係合していたのがピン移動部１１ｆをピン案内部１１ｇの上端部に向って移動しピン案内部１１ｇの縁に接する（図１１のｂ）。ピン軸１５がピン係脱部１１ｅから直にピン案内部１１ｇに移動すると、障子２の開き始めと同時にアーム１１が室外側に動き始める。その結果、アームの符号１１ｉ側（図５のアーム垂直状態右側）がたて框２ａの突条２ｈに当接し、アーム１１の動きを妨げる。
【００８３】
そこで、ピン軸１５がピン係脱部１１ｅから移動部１１ｆに平行に移動する事によって、障子２をその寸法分室外側に移動させ、アーム１１とたて框突条２ｈのクリアランスが確保でき、アーム１１が支障なく動くことができる。この事により、たて框の見込み寸法というせまい空間にアームを収納する事ができる。
【００８４】
ここまではアーム１１は不動である。
【００８５】
続いて障子２が外方へ移動するとピン軸１５の軸部１５ａはピン案内部１１ｇの上端部でその縁に接して摺動しまたはピン軸１５がブッシュ１４に支持されて回転してころがりも加わって転摺動し乍アーム１１を室外へ向って押す。更に障子２を開くと、アーム１１は支軸９を中心にして図５、図１１において反時計方向に回動し室外側へ向う。このとき、アームはばね１２を締め込む。障子２の外方への更なる移動により共に移動するピン軸１５は案内長穴１１ｄのピン案内部１１ｇ中を進む（図１１、ｃ→ｄ）。ピン軸１５の軸部１５ａの直径とピン案内部１１ｇの幅はほぼ同一であるのでつば１５ｂのためピン軸１５は軸方向にピン案内部１１ｇから抜くことは出来なくなる。
【００８６】
障子２の戸先の変位とアーム１１の先端部の変位の割合は、ピン案内部１１ｇを障子２が閉った状態で外方へ斜め下方向に向けて凸な曲線としてあり、障子２とアーム１１の回転比の変化をピン案内部１１ｇが直線の場合よりも小さくしてある。ピン軸１５の軸部１５ａが案内長穴のピン案内部１１ｇを移動してピン案内部１１ｇとピンロック部１１ｈの交叉部に達すると、（図１１、ｄ→ｅ→ｆ）ピン軸１５がアーム１１を押してもアーム１１は回動しなくなる（図１１、ｆ）。そして、ピン軸１５が前記交叉部よりわずかに室外側へ向って移動するにつれて、アーム１１はアーム１１の重量に基づく支軸９を中心とするモーメント及びばね１２のばね力で図１１において時計回りに回転し、ピンロック部１１ｈがピン軸１５の軸部１５ａに入り、ピンロック部１１ｈの終端がピン軸１５の軸部１５ａに当り、アーム１１は回動を停止する（図１１、ｆ→ｇ）。このとき、アーム１１は支軸９を中心にして時計回りに少し回転する。
【００８７】
図４に示すように、このときピン軸１５の軸部１５ａとアーム１１の板面の交叉角は直角ではなく斜交している。そこで、ピン軸１５とアーム１１の斜交を邪げないようにピン軸１５のつば１５ｂはブッシュ１４のつば１４ｂから充分離れた位置となるようにピン軸１５のブッシュ１４からの突出長さを定めている。
【００８８】
ピン軸１５がピンロック部１１ｈの終端にある状態で障子２は半開状態を保って保持される。強風、突風等で障子２を閉めようとする風圧が加わったとするとピン軸１５の軸部１５ａはピンロック部１１ｈ中にあって、ピンロック部１１ｈの周縁で押されるだけでアーム１１は支軸９を中心にして図１１において時計方向に回転できない。従って、強風、突風により半開の障子２が突然閉ってしまうということを防止できる。
【００８９】
半開状態の障子２を閉めるには、ばね２９のばね力に抗して解除用つまみ２３を押し下げる。解除用つまみ２３の降下と共に裏板２４は下がり、裏板２４に設けた突起２４ｃは解除部材２６のカムレバー部２６ａを下方へ押すので、解除部材２６はダボ１８ｋを中心にして図９において反時計回りに回動する。この回動で解除作用レバー部２６ｂは反時計回りに回り乍上昇してアーム１１の先端部下側を加圧し、支軸９を中心とするアーム１１の重量に基づくモーメント及びばね１２のばね力に抗してアーム１１を図５において反時計回りに回動して上昇させる（図５の二点鎖線）。
【００９０】
裏板２４が下降限度に近づくにつれて、スナップアームの先端凸部２４ｂは上下方向に長い凹溝１８ｊ１の下端に達する。裏板２４は更に下降し、先端凸部２４ｂが凹溝１８ｊ１と１８ｊ２間の山を越える際にスナップアーム２４ａはたわみ、該山を越えて先端凸部２４ｂは先端凸部２４ｂが丁度嵌入する凹溝１８ｊ２にスナップアーム２４ａの弾力で入る。
【００９１】
これによって、ピンロック部１１ｈとピン案内部１１ｇの交叉部がピン軸の軸部１５ａの位置にくる。この状態ではばね１２のばね力によりアーム１１に加わるモーメント及びアーム１１の重量によるモーメントでアーム１１は支軸９を中心にして先端が下る方向に付勢されている。アーム１１が解除部材２６の解除作用レバー部２６ｂを押し下げようとし、これによって解除作用レバー部２６ｂはダボ１８ｋを中心に回動力を受け、カムレバー部２６ａは裏板の突起２４ｃを上方へ付勢して裏板２４を上昇させようとする。また、裏板２４はばね２９のばね力で上昇させられようとしている。上記スナップアーム２４ａは先端凸部２４ｂが凹溝１８ｊ２に入っており、凹溝１８ｊ２に入っている先端凸部２４ｂをこの凹溝１８ｊ２から上方に向って脱出させるためにはスナップアーム２４ａをたわませねばならない。
【００９２】
アーム１１が解除作用レバー部２６ｂに加える力に基づく裏板２４の上方への付勢力にばね２９のばね力を加えた力よりも凹溝１８ｊ２から先端凸部２４ｂを脱出させる裏板２４に加える力は大きくしてある。ここで、アーム１１のこの交叉部に軸部１５ａが来たときには図５に二点鎖線で示すように、交叉部内側１１ｋは下方に向って突起状である。交叉部外側１１ｍは上方に向って凹な円弧である。この状態でアーム１１、ピン軸１５の位置が定まる。
【００９３】
この状態で解除用つまみ２３から指を離してもアーム１１、解除部材２６は停止した状態を保つ。解除用つまみ２３から指を離した後に、締りハンドル３２を持って障子２を閉める方向へ移動すると、ピン軸１５は室内側へ移動する。
【００９４】
ピン軸１５の室内側の移動により軸部１５ａはアーム１１のピン案内部１１ｇを移動する。これによって、アーム１１には支軸９を中心にしてピン軸１５の付勢、支軸９を中心とするアーム１１の重量に基づくモーメント、ばね１２のばね力が加わって先端が室内側へ移動するように回動する。そして、アーム１１は解除作用レバー部２６ｂを押し下げる。解除部材２６はダボ１８ｋを中心にして解除作用レバー部２６ｂを下方へ向う方向、及び、カムレバー部２６ａが上方へ向う方向に回される。カムレバー部２６ａは突起２４ｃを上方に押し、凹溝１８ｊ２に嵌合しているスナップアーム２４ａの先端凸部２４ｂの凹溝１８ｊ２からの脱出抵抗に抗して、且つ、ばね２９のばね力に助勢されて裏板２４を上昇させる。スナップアーム２４ａの先端凸部２４ｂが凹溝１８ｊ２から脱出した後は、裏板２４はばね２９のばね力で付勢されて上昇する。
【００９５】
このとき解除用つまみ２３を指で操作する必要がない。解除部材２６はダボ１８ｋを中心にして回動し、解除作用レバー部２６ｂはアーム１１から離れる。解除部材２６は裏板２４の上昇につれて突起２４ｃも上昇して、カムレバー部２６ａは自在に上方へ回動可能となる。そこで解除作用レバー部２６ｂはカムレバー部２６ａよりも重く長く作られているので、解除作用レバー部２６ｂはダボ１８ｋを中心にして下方に回り込む。その結果カムレバー部２６ａは上昇限度位置にある裏板２４の突起２４ｃに当るか接近した位置において解除作用レバー部２６ｂがほぼ垂下した位置となる。
【００９６】
障子２を更に閉める方向に移動するとピン軸１５は室内側へ向って移動し、その軸部１５ａはアーム１１のピン案内部１１ｇをアーム先端側から根本側へ向って摺動又は転摺動し、アーム１１はピン軸１５の室内側への移動により付勢されると共に自身の重力及びばね１２のばね力も加わって助勢されて支軸９を中心にして室内側へ回動する。先端凸部２４ｂが凹溝１８ｊ２から脱出した後はばね２９のばね力で上昇した裏板２４はストッパ部１８ｐに当って停止する。裏板２４と共に解除用つまみ２３は上昇して復帰する。
【００９７】
ピン軸１５がピン案内部１１ｇのアーム根本側上端に達した状態ではアーム１１のドッグ面１１ｂはアーム取付ベース８のストッパ８ｄに当接する。この状態では障子２は閉り切っていない。障子２を更に閉めると、ピン軸の軸部１５ａはピン移動部１１ｆを通じて室内側へ向い、ピン係脱部１１ｅの中心とピン軸１５の中心が一致する位置において障子２は閉まる。
【００９８】
障子２が閉る際、上記ドッグ面１１ｂとストッパ８ｄの当接位置はアーム１１の支軸９の近くに設けたため、仮にストッパ８ｄにドッグ面１１ｂが衝突しても、アーム１１のドッグ面１１ｂの速度は遅いので騒音は生じない。
【００９９】
ピン係脱部１１ｅは丸穴である。ピン軸１５は丸軸である。ピン係脱部１１ｅの直径はピン軸１５のつば１５ｂの直径よりも大きい。ピン係脱部１１ｅの直径とつば１５ｂの直径差は、製作誤差、障子引寄せ量のばらつき、変化を考慮して定めてある。
【０１００】
障子２を全開可能にするには、図１、図３、図６において切替え用つまみ１９ａを右行すると、シフタ１９はピン軸１５を随行して右行する。ピン軸１５はアーム１１のピン係脱部１１ｅからぬける。この状態ではアーム装置４と操作装置５と連動するピン装置１３は切り離されているので障子２は自在に開閉でき、全開可能となる。
（実施例２）
実施例２は実施例１の全部を含む。
【０１０１】
正面図の図１３、図１３のＣ−Ｃ断面図の図１４、図１３の側面図の図１５、図１３の背面図の図１６により実施例２について説明する。
【０１０２】
図１４に示すように台座１８に前後方向に貫通する丸穴１８ｓが設けてある。図１６に示すように台座１８にはその背面には上下方向の広幅の案内１８ｔが設けてある。図１４に示すように案内１８ｔの下方には案内間に台座１８と一体のダボ１８ｕが設けてある。
【０１０３】
丸穴１８ｓには錠前３３、掛金３４が回動可能に設けてある。錠前３３と掛金３４は錠前３３の鍵穴３３ａから差し込まれる特定された鍵（図示されない）によってのみ同時に回転可能である。
【０１０４】
掛金３４は丸穴１８ｓに回転可能とされる部分をジャーナルとするクランクでクランクピンに相当するピン３４ａが操作装置の背部に突出している。
【０１０５】
台座１８と一体の案内１８ｔには上下方向に移動自在にロックプレート３５が嵌合している。ロックプレート３５にはピン３４ａが移動自在な左右方向の長穴３５ａが設けてある。及び、ダボ１８ｕが入る上下方向の長穴３５ｂが設けてある。
【０１０６】
ダボ１８ｕの先端はロックプレート３５の裏面３５ｃよりもわずかに後方（室外側）へ出ている。ダボ１８ｕの先端には座金３６を介して小ねじ３７が台座１８にねじ込まれている。これによってロックプレート３５の脱落を防止してある。
【０１０７】
ロックプレート３５にはストッパ３５ｄを一体に設けてある。図１５、図１６に示すようにロックプレート３５が上昇位置にある状態ではストッパ３５ｄはシフタ１９の図１６において左行を邪げない位置にある。従ってこのときは、シフタ１９は障子２の半開、全開を選択可能な状態である。
【０１０８】
錠前３３に図示されない鍵を差し込んで回転すると掛金３４は回転する。ピン３４ａは丸穴１８ｓを中心として回転し長穴３５ａを摺動し乍下降しロックプレート３５を押し下げストッパ３５ｄをシフタ１９との係合位置に位置させる。
【０１０９】
ロックプレート３５が下降するとロックプレートのストッパ３５ｄは図１５、図１６において裏面から見るとシフタ１９の中間部１９ｃの左側面に接近した位置となる。これによってシフタ１９は障子２を半開動作のみに限定する。
【０１１０】
よって、病院や学校等で不特定多数のユーザーが使用する場合でも、人や物の脱落が防止できる。
【図面の簡単な説明】
【０１１１】
【図１】開き窓の正面図である。
【図２】図１の略平面図である。
【図３】障子閉状態における開口制限ストッパー装置の平面図である。
【図４】障子半開状態における開口制限ストッパー装置の平面図である
【図５】アーム装置の側面図である。
【図６】障子閉状態における開口制限ストッパー装置の正面図である。
【図７】操作装置の側面図である。
【図８】操作装置の平面図である。
【図９】操作装置の背面図である。
【図１０】図６のＢ−Ｂ断面図である。
【図１１】ピン軸とアームの動作を示す側面図であって図２のA矢視図である。
【図１２】操作装置の背面側から見る斜視図である。
【図１３】実施例２の操作装置の正面図である。
【図１４】図１３のＣ−Ｃ断面図である。
【図１５】図１３の側面図である。
【図１６】図１３の側面図である。
【図１７】図６のＤ−Ｄ拡大断面図である。
【符号の説明】
【０１１２】
１…開口枠  １ａ…たて枠  １ａ１…たて枠  １ａ２…下枠  １ｂ…内周材  １ｃ，１ｄ…突条  １ｅ…条溝  
２…障子  ２ａ，２ａ１…たて框    ２ａ２…下框  ２ｂ…内側材  ２ｃ…外周材  ２ｃ１…丸穴  ２ｄ〜２ｈ…突条  ２ｉ…外側材  ２ｊ…条溝  ２ｋ…中間材    ２ｋ１…丸穴  ２ｍ…中空部  ２ｎ…ガラス溝  ２ｏ，２ｐ，２ｑ…突条  ２ｒ…空間
３…開口制限ストッパー装置
４…アーム装置
５…操作装置
６…パッキン
７…パッキン  ７ａ…取付部  ７ｂ…板状部  ７ｃ…密封部
８…アーム取付ベース  ８ａ…基板  ８ａ１…穴  ８ｂ…穴  ８ｃ…フランジ  ８ｄ…ストッパ  ８ｅ…ばね掛け
９…支軸  ９ａ…小径軸部  ９ｂ…大径軸部  ９ｃ…つば
１１…アーム  １１ａ…ばね掛け  １１ｂ…ドッグ面  １１ｃ…穴  １１ｄ…案内長穴  １１ｅ…ピン係脱部  １１ｆ…ピン移動部  １１ｇ…ピン案内部  １１ｈ…ピンロック部  １１ｉ…折曲線  １１ｊ…当り面  １１ｋ…交叉部内側  １１ｍ…交叉部外側  １１ｐ…縁
１２…ばね  １２ａ…一端  １２ｂ…他端  
１３…ピン装置
１４…ブッシュ  １４ａ…胴部  １４ｂ…つば  １４ｃ…中心穴
１５…ピン軸  １５ａ…軸部  １５ｂ…つば  １５ｃ…シフタ係合部
１６…シフタ装置
１７…ロック解除装置
１８…台座  １８ａ…座面  １８ｂ…小ねじ用穴  １８ｃ…案内溝  １８ｃ１…ストッパ  １８ｄ…底部材  １８ｅ…穴  １８ｆ…案内溝  １８ｆ１，１８ｆ２…凹溝  １８ｇ…案内溝  １８ｈ…底部材  １８ｉ…長穴  １８ｊ…案内部  １８ｊ１，１８ｊ２…凹溝  １８ｋ…ダボ  １８ｍ…ばね装着部  １８ｎ…下端  １８ｐ…ストッパ部  １８ｒ…凹部  １８ｓ…丸穴  １８ｔ…案内  １８ｕ…ダボ
１９…シフタ  １９ａ…切替用つまみ  １９ａ１…リップ  １９ｂ…二又ヨーク  １９ｃ…中間部  １９ｄ…凹部  １９ｅ…突起
２１…キャップ
２２…ガイドプレート  ２２ａ…スナップアーム  ２２ｂ…先端凸部  ２２ｃ…ベース部  ２２ｄ…穴  ２２ｅ…スタンド部
２３…解除用つまみ  ２３ａ…突起
２４…裏板  ２４ａ…スナップアーム  ２４ｂ…先端凸部  ２４ｂ１…解除作用部  ２４ｃ…突起  ２４ｅ…上端  ２４ｆ…突起    ２４ｈ…ばね座  ２４ｉ…穴
２５…軸用止輪
２６…解除部材  ２６ａ…カムレバー部  ２６ｂ…解除作用レバー部  ２６ｂ１…解除作用部  ２６ｃ…バランスウエート
２７…座金
２８…小ねじ
２９…圧縮コイルばね
３０…組付ねじ
３１…あおり止め
３２…締りハンドル
３３…錠前  ３３ａ…鍵穴
３４…掛金  ３４ａ…ピン
３５…ロックプレート  ３５ａ，３５ｂ…長穴  ３５ｃ…裏面  ３５ｄ…ストッパ
３６…座金
３７…小ねじ
Ｌ１，Ｌ２…垂線
δ…距離
【図１】
2008261152.tif 000003
【図２】
2008261152.tif 000004
【図３】
2008261152.tif 000005
【図４】
2008261152.tif 000006
【図５】
2008261152.tif 000007
【図６】
2008261152.tif 000008
【図７】
2008261152.tif 000009
【図８】
2008261152.tif 000010
【図９】
2008261152.tif 000011
【図１０】
2008261152.tif 000012
【図１１】
2008261152.tif 000013
【図１２】
2008261152.tif 000014
【図１３】
2008261152.tif 000015
【図１４】
2008261152.tif 000016
【図１５】
2008261152.tif 000017
【図１６】
2008261152.tif 000018
【図１７】
2008261152.tif 000019